(57)【特許請求の範囲】
【請求項１】
吸着塔の排出口につながる入側経路を通して送給された吸着媒体を加熱する加熱部と、該加熱部において加熱された吸着媒体につき、その加熱分解反応により放出される排ガスの有害物質を除去、回収する回収部と、該排ガスの有害物質が除去、回収された吸着媒体を冷却して出側経路を経て吸着塔へ返送する冷却部とを備えた排ガス処理設備の再生塔であって、
該冷却部は、該回収部へ向けて開放された入側開口と該出側経路へ向けて開放された出側開口とを有しその相互間につながる通路での熱交換によって該吸着媒体を冷却する複数本の伝熱管を備え、
該伝熱管に、伝熱管の通路につながる貫通経路を有し、該伝熱管の入側開口を通して該伝熱管の通路内に着脱自在に挿入される環状体を設けたことを特徴とする排ガス処理設備の再生塔。
【請求項２】
前記吸着媒体が、活性コークスであり、前記有害物質が硫黄酸化物、ダイオキシン、窒素酸化物であることを特徴とする請求項１に記載した排ガス処理設備の再生塔。
【請求項３】
前記環状体は、前記伝熱管の入側開口の端面に当接可能なフランジと、このフランジに一体連結し該伝熱管の通路内に侵入する本体部分からなることを特徴とする請求項１または２に記載した排ガス処理設備の再生塔。
【発明の詳細な説明】
【技術分野】
【０００１】
本発明は、製鉄所の焼結工場等において配置される排ガス処理設備、とくに、活性コークスを吸着媒体として排ガスの清浄化を行う乾式脱硫設備の再生塔に関するものである。
【０００２】
焼結工場等から排出される排ガスには、硫黄酸化物、ダイオキシン（ＤＸＮ）、窒素酸化物等の有害物質が含まれており、これらの有害物質を効率的に除去してガスの浄化を図る排ガス処理設備としては、例えば、特許文献１に開示されたものが知られている。
【先行技術文献】
【特許文献】
【０００３】
【特許文献１】特開２００９−２９１７６５号公報
【０００４】
かかる設備は、通常、吸着塔、再生塔を備えるものであり、吸着塔では、活性コークスの微細構造により排ガス中の硫黄酸化物の大部分を占める二酸化硫黄（ＳＯ２）を硫酸（Ｈ２ＳＯ４）の形で吸着する一方、再生塔では、約２２０℃以上で生じる活性コークスの加熱分解反応により、活性コークスの内部に吸着した硫酸（Ｈ２ＳＯ４）を再度二酸化硫黄（ＳＯ２）の形で捕集するとともにその捕集された二酸化硫黄（ＳＯ２ガス）を硫酸回収設備に送って副生品として回収している。
【０００５】
ところで、上記設備における再生塔は、複数本の伝熱管が配列された加熱部および冷却部と、該加熱部と冷却部との相互間に位置する回収部に区分されたシェルアンドチューブ式の熱交換器にて構成されており、吸着塔から送給された活性コークスを、該加熱部、回収部、冷却部を移動（循環移動）させて吸着塔へと返送するが、その内部では、二酸化硫黄や水蒸気を含む腐食性ガスが発生するため、とくに腐食性ガスが露点以下となる冷却部（冷却部の入側領域（入側端の角部から０．５〜１．５ｍ）においては活性コークスとの接触による摩耗に加え、腐食によって伝熱管が破孔しやすい不具合を有しており、従来は水浸超音波厚み測定法等を用いて伝熱管の厚さを管理していた。また、原料付着等で伝熱管の熱伝導率の低下により伝熱管表面の局所的な低温箇所の発生を防止するために伝熱管の内部洗浄を実施していた。
【発明の概要】
【発明が解決しようとする課題】
【０００６】
しかしながら、従来のこの種の再生塔では、以下に述べるような課題が残されていた。
【０００７】
すなわち、伝熱管の破孔が懸念される場合、活性コークスの漏出および設備内部への空気の侵入を防止するとともに所定の伝熱面積を確保する観点から伝熱管の取替えを行う必要があるところ、設備の構造上十分なスペースが確保できないことから、伝熱管の入口、出口を閉止するといった補修しか行えないため伝熱面積を減らさざるを得ない。しかも、その補修は、焼結操業等の停止、活性コークスの抜き出し、塔内部の冷却、点検（孔開きの有無、場所の特定）、閉止処置、活性コークスの充填、焼結操業等の再開という工程を経るため、設備を長時間にわたって停止する必要がある。
【０００８】
また、伝熱管の厚さの測定は、設備の停止可能な時間内で行わなければならない（時間的な制約がある）ため、代表点での測定しか実施できず、定期的な点検において伝熱管に破孔が確認されたならばその都度補修するといった事後保全となることが多く、伝熱管の破孔に伴う活性コークスの漏洩を確実に防止するまでには至っていない。
【０００９】
さらに、耐食性の高いステンレス鋼（例えば、ＳＵＳ３１６Ｌ等）や二相ステンレス鋼（例えば、ＳＵＳ３２９Ｊ４Ｌ等）といった高価な鋼材を使用した径３ｍ×長さ２０ｍを超えるような大型の再生塔が用いられてきており、伝熱管の閉止数の増加による再生塔の一式交換には高額な設備投資が必要になるといった問題もある。
【００１０】
本発明の課題は、予防保全により冷却部における伝熱管の破孔を長期間にわたって防止できる排ガス処理設備の再生塔を提案するところにある。
【課題を解決するための手段】
【００１１】
本発明は、吸着塔の排出口につながる入側経路を通して送給された吸着媒体を加熱する加熱部と、該加熱部において加熱された吸着媒体からそれに含まれる排ガスの有害物質を除去、回収する回収部と、該排ガスの有害物質が除去、回収された吸着媒体を冷却して出側経路を経て吸着塔へ返送する冷却部とを備えた排ガス処理設備の再生塔であって、該冷却部は、該回収部へ向けて開放された入側開口と該出側経路へ向けて開放された出側開口とを有しその相互間につながる通路での熱交換によって該吸着媒体を冷却する複数本の伝熱管を備え、該伝熱管に、伝熱管の通路につながる貫通経路を有し、該伝熱管の入側開口を通して該伝熱管の通路内に着脱自在に挿入される環状体を設けたことを特徴とする排ガス処理設備の再生塔である。
【００１２】
上記の構成からなる排ガス処理設備の再生塔において、前記吸着媒体が、活性コークスであり、前記排ガスの有害物質が硫黄酸化物、ダイオキシン、窒素酸化物であること、また、前記環状体は、前記伝熱管の入側開口の端面に当接可能なフランジと、このフランジに一体連結し該伝熱管の前記通路内に侵入する本体部分からなるものとすること、が本発明の課題解決のための具体的手段として好ましい。
【発明の効果】
【００１３】
本発明によれば、冷却部の伝熱管に、該伝熱管の通路につながる貫通経路を有し、該伝熱管の入側開口を通して該通路内に着脱自在に挿入される環状体を設け、この環状体によって腐食や摩耗の激しい部位を保護する一方、定期修理の度にその環状体の劣化状態を確認、取替えを行うようにしたため予防保全が可能となり伝熱管の損傷を確実に回避することができる（伝熱管の長寿命化）。
【００１４】
また、本発明によれば、設備の改造が不要であり、既存の設備に即適用可能である。
【図面の簡単な説明】
【００１５】
【図１】本発明にしたがう再生塔を設置した排ガス処理設備を焼結工場に適用した例を模式的に示した図である。
【図２】図１に示した排ガス処理設備の再生塔の断面を模式的に示した図である。
【図３】活性コークス（ＡＣ）の循環フローと排ガスの処理状況（ガスフロー）を示した図である。
【発明を実施するための形態】
【００１６】
以下、図面を参照して本発明をより具体的に説明する。
図１は、本発明にしたがう再生塔を設置した排ガス処理設備（乾式脱硫設備（活性コークス法））を焼結工場に適用した例を示した図であり、図２は、その排ガス処理設備の再生塔の断面を模式的に示した図である。
【００１７】
図１、２における符号１は、焼結機に向けて原料を搬送する原料搬送設備、２は、原料搬送設備１によって搬送された原料を焼結する焼結機、３は、焼結機２において発生した排ガス中のダスト等を捕集する電気集塵機である。
【００１８】
また、４は、電気集塵機３を経た排ガスから有害物質を除去してクリーンな排ガスにして大気放出する排ガス処理設備である。この排ガス処理設備４は、排ガス送給用のメインブロアー４ａと、メインブロアー４ａによって送給された排ガスにつき、その中に含まれる有害物質を吸着媒体である活性コークス（ＡＣ）によって吸着、除去する吸着塔４ｂと、有害物質が吸着された活性コークスを処理、再生する再生塔４ｃと、有害物質の取り除かれた排ガスをブースタファン４ｄを介して大気放出する煙突４ｅ等から構成されている。
【００１９】
本発明にしたがう再生塔４ｃは、円筒状をなす縦長の胴体部分を有し、その内側に、吸着塔４ｂの排出口につながる入側経路ｆを通して送給された活性コークスを加熱する加熱部４ｃ１と、該加熱部４ｃ１において加熱された活性コークスからそれに含まれる排ガスの有害物質を除去、回収する回収部４ｃ２と、該排ガスの有害物質が除去、回収された活性コークスを冷却して出側経路ｇを経て吸着塔４ｂへ返送する冷却部４ｃ３とを備えたもので構成される。
【００２０】
上記の加熱部４ｃ１は、具体的には、入側経路ｆへ向けて開放された入側開口と回収部４ｃ２へ向けて開放された出側開口とを有しその相互間につながる通路での熱交換によって活性コークスを４００℃程度に加熱する複数本の伝熱管(内径８３ｍｍ程度、厚さ３ｍｍ程度になるＳＵＳ３１６等の管体)４ｃ１１が備えられている。また、冷却部４ｃ３は、該回収部４ｃ２へ向けて開放された入側開口と該出側経路ｇへ向けて開放された出側開口とを有しその相互間につながる通路での熱交換によって活性コークスを１２０℃以下に冷却する複数本の伝熱管（内径８３ｍｍ程度、厚さ３ｍｍ程度になるＳＵＳ３１６等の管体）４ｃ３１が備えられており、伝熱管４ｃ３１には、該伝熱管４ｃ３１の通路につながる貫通経路を有し、該伝熱管４ｃ３１の入側開口を通してその通路内に着脱自在に挿入される環状体５が設けられている。
【００２１】
上記の構成からなる排ガス処理設備４においては、焼結機２から排出された排ガスが図３に示す要領で処理（吸着塔４ｂでは、活性コークスの微細構造により排ガス中のＳＯ２をＨ２ＳＯ４の形で吸着、再生塔４ｃでは、活性コークスに吸着されたＨ２ＳＯ４が４００℃程度で加熱分解、再びＳＯ４ガスとして回収することで活性コークスを再生）され、吸着塔４ｂから排出された排ガスはクリーン化が図られるものの、とくに再生塔４ｃの冷却部４ｃ３の入側領域（入側端から０．５〜１．５ｍ）では活性コークスとの接触による摩耗に加え、腐食が激しくなることから伝熱管４ｃ３が破孔しやすい状況にあったが、本発明にしたがう再生塔４ｃでは、環状体５により、摩耗や腐食が激しい部分が保護され、該環状体５の劣化が認められた場合にはそれを簡単に取替えることが可能であり、再生塔の長寿命化が可能となる。
【００２２】
環状体５としては、伝熱管４ｃ３１の入側開口の端面に当接して位置決めするフランジ５ａと、このフランジ５ａに一体連結して伝熱管４ｃ３１の通路内に侵入する本体部分５ｂからなるもの（侵入長さが０．５〜１．５ｍ、厚さ３ｍｍ程度のＳＵＳ３１６等で構成されたもの）が適用される。
【００２３】
環状体５の点検、取替えに際しては、冷却部４ｃ３の上端部、下端部で再生塔４ｃの胴体部分をワイヤーソー等で切断し、該冷却部４ｃ３のみを取り外して行うことができる。
【００２４】
本発明にしたがう再生塔４ｃを備えた排ガス処理設備４では、従来、その耐用年数が１０年程度であったのに対し３０年程度に延長できることが確認された。
【産業上の利用可能性】
【００２５】
本発明によれば、排ガス処理設備の再生塔で懸念される伝熱管の破孔、とくに冷却部における伝熱管の破孔の予防保全が可能となる。
【符号の説明】
【００２６】
１      原料搬送設備
２      焼結機
３      電気集塵機
４      排ガス処理設備
４ａ    メインブロアー
４ｂ    吸着塔
４ｃ    再生塔
４ｃ１  加熱部
４ｃ１１  伝熱管
４ｃ２  回収部
４ｃ３  冷却部
４ｃ３１  伝熱管
４ｄ    ブースタファン
４ｅ    煙突
５      環状体
５ａ    フランジ
５ｂ    本体部分
ｆ      入側経路
ｇ      出側経路
【図１】
0006443359.tif 000002
【図２】
0006443359.tif 000003
【図３】
0006443359.tif 000004